(57)【要約】【課題】舌の舌根が気道に垂れる事で閉塞型睡眠時無呼吸症候群になるのを防止することである。【解決手段】枕の頭を受ける部分である頭受け部２の下層の、頭の後頭部２３を受ける枕の中央部から後方にかけて、低発泡プラスチックである硬質発泡プラスチックからなる負荷受け部３を設けることで、後頭部２３から頭頂部後３０間の反発力を高め後頭部から後の頭頂部後３０が持ち上がり、舌骨１４で舌３２をテコの原理で持ち上げる事で舌根２５を持ち上げ気道に沈下しない様にする。【選択図】図１
2018201811.tif 000002
【特許請求の範囲】
【請求項１】
枕の頭受け部２の中央部から後側は、柔軟性はそのままにして反発性を大きくする為に、頭受け部２に相対的に硬質にした負荷受け部３を頭受け部２の下層に設けて形成する事を特徴とする、閉塞型睡眠時無呼吸症候群防止枕。
【請求項２】
前記、頭受け部２を低反発ウレタンフォーム、或は低反発シリコーンフォームで形成し、頭受け部２の下層に、枕の中央部から後側である立ち上がり面３８にかけて、低発泡プラスチック、木、発泡ゴム、ゴム、ゴム状樹脂、からなる群より選択された一つの材質からなる、前記負荷受け部３を備える事を特徴とする、請求項１に記載の閉塞型睡眠時無呼吸症候群防止枕。
【請求項３】
前記、負荷受け部３の形状は後頭部２３を受ける枕の中央部から後側である立ち上がり面３８にかけて、立ち上がり面３８方向に登り勾配とする、負荷受け部３の形状は、後頭部２３を受ける枕の中央部から後側である立ち上がり面３８にかけて、立ち上がり面３８方向に曲線で登り勾配とする、及び  負荷受け部３の形状は、後頭部２３を受ける枕の中央部から後側である立ち上がり面３８にかけて、立ち上がり面３８方向に水平である板状とする、以上からなる群の内から選択された一つの形状からなる負荷受け部３である事を特徴とする、請求項１に記載の閉塞型睡眠時無呼吸症候群防止枕。
【請求項４】
低反発ウレタンフォーム、或は低反発シリコーンフォームで形成した頭受け部２に相対的に硬質にした低発泡プラスチック、木、発泡ゴム、ゴム、ゴム状樹脂、からなる群より選択された一つの材質を選択し、選択した材質からなる負荷受け部３とし、負荷受け部３の形状は、枕の下に配置した場合、中央部に位置する部位から後側である立ち上がり面３８方向に登り勾配とする、負荷受け部３の形状は、枕の下に配置した場合、中央部に位置する部位から後側である立ち上がり面３８方向に曲形（線）で登り勾配とする、及び、負荷受け部３の形状は、枕の下に配置した場合、中央部に位置する部位から後側である立ち上がり面３８方向に水平である板状とする、以上からなる群から選択された一つの形状を特徴とする負荷受け部３が固着したベース６を前記、頭受け部２である枕１の下に備え、カバー４０の垂れ９で包み込む事で一体の枕として使用する事を特徴とする、請求項３に記載の閉塞型睡眠時無呼吸症候群防止枕。
【発明の詳細な説明】
【技術分野】
【０００１】
本発明は、仰臥して睡眠時に、肥満、高齢者、舌筋の老化、などで舌根が重力で気道に垂れ下がり気道を塞ぐ事で一定時間呼吸が複数回停止する閉鎖型睡眠時無呼吸症候郡を防止する枕に関するものである。
【背景技術】
【０００２】
閉鎖型睡眠時無呼吸症候群の主な治療は、鼻若しくは鼻と口に樹脂製のマスクをバンドで固定しポンプで加圧した空気を連続して鼻腔から送り込んで気道を陽圧に保ち起動の閉鎖を防ぐ、経鼻的持続陽圧呼吸療法（ＣＰＡＰ）と、下顎の歯を上顎の歯を利用して下顎を前に出すマウスピースにより矯正する手段がある。（以下経鼻的持続陽圧呼吸療法をＣＰＡＰと云う）
【０００３】
マウスピースの場合、上歯１８を支えに下歯１７を仰臥した場合口の外方に引き出す事で舌３２の舌根２５を引き上げて気道１３に沈下しない様にするものである。
しかし舌３２は下部で舌骨１４に固着しているのでいくら上部の舌顎骨１５を引き上げても
引き上げ力は舌顎骨１５で殺されてしまい、効率よく舌根２５を引き上げる事ができない、
マウスピースで口の中で下顎骨１５を突き出したまま寝付くのは難しいなどがある。この為医療機関での処置は軽度の閉塞型睡眠時無呼吸症候群の患者に限っているがこれを積極的に治療には勧めていない。（図６参照）
【０００４】
どちらも生きている限り使用しなければならないという事とＣＰＡＰの場合、次の様な問題点が使用感としてある、加圧空気送入で腹部膨満感がある。送入された加圧空気で気道や口の中が乾く。気道や口の中の乾きで感染しやすくなる。空気が漏れない様にきつく締め付けるのでマスクのこすれで皮膚がかぶれる。ポンプの音で寝付き難い。ポンプとマスクを硬度のある空気送風ポースで連結しているので、寝返りが難しい為、腰が痛たくなる。
【０００５】
そして病院にＣＰＡＰ装置のレンタル料を支払はなければならず経済的負担も大きい保険負担率が３割の場合月６０００円である、これに毎月病院の診療費が別途必要。
どちらも肉体的に多少の苦痛を伴うので必要であっても使用に踏み切れない人も多い。
【０００６】
この改善策として横寝すると気道が舌根の下ではなく横になるので、舌根が重力で気道に垂れないので防止される、その様な枕も有るが、一晩中横を向いて寝る事は難しく無意識の内に仰臥している、この為横寝の効果が持続し難い等の問題点がある。
【０００７】
又、特許文献１  実登  ３１５５５１７は、枕を肩に近い部分である、頚椎部分を支持する部分と後頭部を支持する、前と後に二分し、後の頭部支持箇所を頚椎部支持箇所より硬度のある素材で形成し、頭部支持箇所より頚椎部支持箇所を柔らかい素材で形成して、  頚椎部支持箇所が後頭部支持箇所より沈下する様にしている、
【０００８】
頭の後頭部を受ける枕の後側部分を硬度の有る素材で形成しているので、頭が有効に保持されるまで沈下せず、頭がしっかりと枕で保持され難いので睡眠すると、首の筋肉が弛緩して首の前側の筋肉が伸びるため、後頭部２３を支点にして顎３１が上がり舌を持続的に引き上げていることが出来なくなり舌根２５は気道１３に沈下して持続的な効果がなかった。
【先行技術文献】
【特許文献】
【０００９】
【特許文献１】実登３１５５５１７号
【非特許文献】
【００１０】
【非特許文献１】睡眠時無呼吸症候群(SAS)の概要と、治療法についての冊子,睡眠時無呼吸症候群の治療,  帝人ファーマ株式会社
【発明の概要】
【発明が解決しようとする課題】
【００１１】
生まれつき骨格が小さい人、肥満の人、高齢者は気道１３のスペースが狭くなっている事が多く、この様な方が仰向けに寝ると、睡眠中は筋肉が弛緩するので弛緩した舌３２の舌根２５が重力で舌の下に有る気道１３内に垂れ下がっていた、本発明は舌３２の舌根２５が気道１３に垂れ下がらない様にし、重篤な閉鎖型睡眠時無呼吸症候群を改善する、仰臥或は横寝して使用できる枕を提供する。（以下閉塞型睡眠時無呼吸症候群の事をＯＳＡＳと表記する）
【課題を解決するための手段】
【００１２】
以下、方向を表す場合は上向きに仰臥した姿を右側から見た場合を想定して標記する。
以下、枕の人体の肩に接する部分を前側（前）、その反対側を後側（後）と標記する。
【００１３】
人体の頭の左右の動きは、第一頚椎１９が第ニ頚椎の上で回転して可能にしている、頭の前後の動きは、後頭骨２１が第一頚椎１９の上で前後に動く事で可能にしている。
【００１４】
以下、後頭骨２１の顔面と反対側に一番飛び出た部分を後頭部２３と標記する。
以下、左右の頭頂骨２８と後頭骨２１が三叉する交点周辺の部位を頭頂部後３０と標記する（図１１参照）。
【００１５】
本発明では、枕１の頭受け部２の後頭部２３から頭頂部後３０を受ける部分である枕１の中央部から立ち上がり面３８の下層（下側）に限って、頭受け部２に相対的に硬質な負荷受け部３を頭受け部２の下層に備える事で頭の負荷を寝具に分散させない、しかし後頭部２３から首２９（頚椎部）を受ける枕の前側については、頭受け部２の下層に負荷受け部３が存在していないので沈下しやすいこの為、後頭部２３から首２９に掛けては、後頭部２３を支点に時計方向に沈下しようとする力が発生し、後頭部２３から頭頂部後３０に掛けては、後頭部２３を支点には頭頂部後３０を時計方向に持ち上げる力が発生し、舌顎骨１５を時計方向（矢印Ａ３４方向）に回転させる事で舌顎骨１５に固着した舌３２は舌骨１４を支点にして、時計方向に回転する為、舌３２の舌根２５はテコの原理で持ち上げられ、気道１３に垂れ難くなり、ＯＳＡＳを防止する、
【００１６】
軽度のＯＳＡＳの治療では医療機関が治療器具としてマウスピースを処方する事も有る、マウスピースは上歯１８を利用して下歯１７を前方に出す事で舌顎骨１５を前方（口の外方向）に出す事で舌３２を仰臥した場合上方に引き上げる効果を期待している、しかし舌顎骨１５を上に引き上げても舌３２は舌骨１４に固着されているから舌骨１４より下の舌３２まで引き上げるのは難しかった、この為重症者の舌根２５が気道１３に沈下するのを防止できなかった。
【００１７】
本発明では、枕１の頭受け部２を反発弾性率が小さく局部的に圧迫が少なく体圧が分散され、感触が良く、柔軟性とクッション性と復元性がある高発泡の軟質ウレタンフォームである低反発ウレタンフォーム或は低反発シリコーンフォームで形成する事で、頭の負荷を枕の下にある寝具に分散吸収させているが枕の中央部から後側の立ち上がり面３８にかけては後頭部２３から頭頂部後３０の頭の重さによる、負荷を柔軟な頭受け部２を通して寝具に分散させない為に、後頭部２３から頭頂部後３０を受ける、枕１の頭受け部２の中央部から立ち上がり面３８の下層、或は下に、反発弾性率が大きい一定の外力が加わっても収縮変形が少ない、低発泡プラスチック、木（コルク、桐材、バルサ材等）、発泡ゴム、ゴム、ゴム状樹脂、などからなる負荷受け部３を備え負荷の分散を防止し、負荷受け部３を備えた部分の上部の頭受け部２の反発と復元力を高める事で、
【００１８】
第一頚椎１９を支点に後頭部２３から頭頂部後３０が時計方向（矢印Ａ３４方向）に持ち上がり、舌骨１４を支点として舌顎骨１５が首２９方向である矢印Ａ３４方向に回転し、舌顎骨１５が舌骨１４部から真っ直ぐ上に垂直な線３６より右側に移動し結果として舌骨１４に固着した舌３２は舌骨１４を支点にして首２９方向である矢印Ａ３４方向に持ち上げられる事でテコの原理で舌根２５は気道１３の方から持ち上がる、（図４参照）
【００１９】
低発砲プラスチックには、ポリスチレンフォーム、ポリウレタンフォーム、ポリエチレンフォーム、ウレタンフォーム、フェノールフォーム、ポリプロピレンフォーム等がある。  
【００２０】
後頭部２３から頭頂部後３０を受ける部分の頭受け部２の反発性を高くする為に頭受け部２に相対的に硬質で頭受け部２より、高反発（硬い）の負荷受け部３は後頭部２３が位置する中央部から枕１の後側である立ち上がり面３８に向かって登り勾配とする、或は後頭部２３を受ける枕の中央部から後側である立ち上がり面３８に向かって曲線で登り勾配とする或は、後頭部２３を受ける枕の中央部から後側である立ち上がり面３８に向かって水平である板状とする。
【発明の効果】
【００２１】
枕１は寝具の上で用いるこの為、柔軟でクッション性と復元性のある枕１に加重がかかると寝具も柔軟性があるので頭の加重を受けた枕１の下の寝具も枕１の負荷（加重）を引き受けて分散するので、負荷を受けた部分の枕１は沈下し易い、しかし本発明の場合、上層は柔軟性がありクッション性と復元性がある、低反発のフォームである、発泡ウレタンフォーム、或は発泡シリコーンフォームで形成されているので後頭部２３から頭頂部後３０以外の後頭部２３から頚椎の有る首２９から肩にかけては負荷受け部３が備えていないので、頭の重みは枕１を通して寝具にも吸収されるので
【００２２】
頭部及び頚椎を程良く優しく保持する、枕１の頭受け部２の負荷受け部３がない部分である頚椎を保持する部分に空洞孔４を設ける事で、負荷を受けると空洞孔４が変形して負荷を吸収し頚椎への枕１の反発を小さくして、必要以上の反発を与えない様にして顎３１が上がらない様にする事で肩こりを防止する。
そして枕の中央部から後側の、頭部の後頭部２３から頭頂部後３０を受ける枕１の下層（下側）、に高反発の柔軟性が少ない硬質の低発泡プラスチックからなる負荷受け部３を備える事で、
枕１の下にある寝具による吸収がないので頭受け部２は頭部の重荷を受けると、後頭部２３から後頭部２３を受ける枕の後側にかけては負荷受け部３が頭の負荷を受け止めるため、負荷受け部３の上部の頭受け部２については、負荷受け部３がない部分より反発力が強くなり枕の中央部から後側の立ち上がり面３８の部位を受ける部位については上層の頭受け部２が優しく保持しているに関わらず、
【００２３】
負荷受け部３は枕の中央部から後側である立ち上がり面３８の間に配置しているこの為、負荷受け部３の上部に位置する頭受け部２の反力は強くなり頭部の沈下は少なくなる、これにより頭の頭頂部後３０には後頭部２３を支点にして図５で示せば時計方向Ａ３４方向に回転力が発生し、舌顎骨１５と顎３１は第一頚椎１９を支点に時計方向である矢印Ａ３４方向である首２９に向かって回転移動する、
【００２４】
舌骨１４と舌顎骨１５に固着した舌３２は時計方向に回転することで、舌３２は舌骨１４の上に乗っかった状態になり舌３２は舌骨１４でテコの原理で舌根２５が持ち上がり気道１３に落ち込まなくなった。その効果は医療機関での「終夜睡眠ポリグラフィー検査」表１の通り明確になった。
【００２５】
次に記述する表１は、睡眠時無呼吸症候群のＡＨＩ指数を通常のウレタンフォーム製の枕と本発明の枕を、使用した医療機関での検査結果である。
ＡＨＩ指数が５以下は正常・５〜１５は軽症・１５〜３０は中等症・３０以上は重症と診断。
脈拍数の正常値は、一般成人では１分間で６０〜１００回の間と言われている。
【００２６】
【表１】
2018201811.tif 000003
【００２７】
病院でＯＳＡＳ検査をする以前に、簡易的にＯＳＡＳになりやすい体形かどうかを確認でき本発明の枕がその人のＯＳＡＳに効果が有るかを確認する事が出来る。
その方法は力を入れず口を閉じて顔を正面に向けて座位、或は立位の時、舌先２２を上下に動かしてみると通常、舌先２２は上歯１８、或は下歯１７の前歯に接触しているとされている、上歯１８、或は下歯１７の前歯に接触している事が確認できる。（図１０参照）これは顎３１が下がっているので、舌３２は舌顎骨１５に引っ張れ、テコの要領で舌骨１４を支点に、歯の方向に引っ張られているからである。この正常な状態で１分間の呼吸数を計数する。成人の平均呼吸数は１６回である、そして上下の唇が閉じている。
【００２８】
次に、顎３１を上げて、頭を後方に倒した状態で、確認するとまず上下の唇が離れる〈口が開く〉、そして舌先２２を上下左右に動かすと舌先２２は前歯に触れず前歯から喉の奥側に入った硬口蓋３７に触れる、（図９参照）この顎３１が上がった状態で１分間の呼吸数を計数する、先の正常な状態での呼吸数と顎３１が上がった状態での呼吸数が同じなら、ＯＳＡＳに陥入り難い体形をしており、先の正常な状態での呼吸数より、後の顎３１が上がった状態での呼吸数が多い場合はＯＳＡＳの可能性が高い人である、この場合の体形とは喉、気道、舌、口蓋などが構成する形状形態を云う。
【００２９】
顎３１が上がった状態で先の平均的な呼吸数より呼吸数が多いＯＳＡＳの可能性が高い人が本発明の枕に仰臥した場合、舌３２が前歯に接触し、呼吸数が正常な状態での１分間の呼吸数と同じになったなら、ＯＳＡＳになり易い体形の人について、本発明の枕がＯＳＡＳになり難い体形に改善した事になる、この様に購入する前に本発明の枕がその人に取って効果が有るかを確認出来る価値は大きい、構造がシンプルなので製造コストを低く抑えることができる。  
【００３０】
仰臥すると頭頂部後３０が下がり、顎３１が上がる様な枕を使用した場合、（図６、図７参照）気道１３が狭くなり空気の吸入が悪くなった為、息苦しさを認識でき、必要な酸素を呼吸数で補う為、呼吸が速くなり、呼吸数は１分間に３０回となった、が本発明の枕を使用した場合は立位で顔を正面に向けた場合の呼吸数と同じ１６回であり息苦しさもなかった、閉鎖型睡眠時無呼吸症候群に有為な効果がある事を確認できた、効果は次の表２の通りであった。他に睡眠中の口中の渇きがなくなった。
【００３１】
【表２】
2018201811.tif 000004
【００３２】
本発明の枕１を使用すると、首２９の部分は枕１に沈み込み、後頭部２３から頭頂部後３０を受ける枕の中央から後側に掛けてのみが負荷受け部３で頭の負荷が寝具に分散しないので沈下し難くなり、首２９の部分の負荷は寝具に分散されるので首２９の負荷と枕１の反発力が釣り合った所まで首２９は沈下する、が空洞部４が不必要な反発をなくした上で首２９が沈下する事で後頭部２３を支点として頭頂部後３０はあたかもテコの原理の作用で矢印Ａ３４方向に持ち上がり、舌３２が喉の奥に落ち込む事無く舌先２２は前歯に接触している、
【００３３】
これは舌が舌根２５に近い位置で舌骨１４に固着している為、頭の頭頂部後３０が矢印Ａ３４方向に回転すると舌３２は舌骨１４を支点に舌顎骨１５が時計方向に回転し、舌顎骨１５は線３６を超えて時計方向に回転移動し首２９方向に下がる、その結果、舌骨１４に固着した舌３２は舌骨１４を支点に時計方向に引き上げられて、あたかも舌骨１４に乗っかった状態となり、その結果、舌根２５がテコの原理で持ち上げられ気道１３を舌根２５で閉鎖しなくなった。（図４、図５参照）これによりＯＳＡＳを防止できた。又睡眠中顎が上がらず唇が閉じている為口、喉が乾燥しなくなった為、乾燥による、口、喉の痛みがなくなった。
【００３４】
マウスピースで舌３２が固着した舌顎骨１５を引き上げても舌３２は舌骨１４で固着されて殺されているので図７で示せば、真上方向に引き上げても舌３２は矢印Ｂ３５方向に沈下して
しまうので、軽度以上の患者には効果がない。ＣＰＡＰ療法は生きている限り樹脂製のマスクを装着して就寝しなくてはならず、毎月治療費が一生涯発生していたが、本発明の枕で解決できた効果は、使用感、費用の面からも大きい。又店頭に本発明品の枕の試供品があれば、ＯＳＡＳへの本発明の枕の効果が購入前１分間の呼吸数で効果が確認できる。
【図面の簡単な説明】
【００３５】
【図１】は枕の斜図。（実施例１）。
【図２】は枕の斜図。（実施例２に使用）
【図３】は（実施例２）の組斜図。
【図４】は図１に仰臥した頭をのせた透視組側面図。（実施例１）。
【図５】は図４の口蓋部分の拡大透視側面図。
【図６】は図２に仰臥した頭をのせた透視組側面図。
【図７】は図６の口蓋部分の拡大透視側面図。
【図８】は負荷受け部３とベース６の斜図である。
【図９】は立位で顎を上げた図。
【図１０】は立位で正面を向いた図。
【図１１】は頭蓋骨図。
【図１２】は枕の斜図。
【図１３】は枕の斜図。
【発明を実施するための形態】
【００３６】
枕１の頭を受ける上層（上面）を高発泡の軟質ウレタンフォームである低反発ウレタンフォーム或は低反発シリコーンフォームで頭受け部２を形成し、枕１の頭受け部２の下層、或は下に、頭受け部２に相対的に硬質にし、硬度を高くして反発力を大きくする為に反発弾性率が大きく一定の外力が加わっても収縮変形が少ない、低発泡プラスチック、木（コルク、桐材、バルサ材など）、ゴム、発泡ゴム、ゴム状樹脂、などからなる負荷受け部３を頭受け部２の下側部の枕１の中央部から枕１の後側である立ち上がり面３８にかけて備える、
【００３７】
或は低発泡プラスチックからなるベース６に前記の負荷受け部３を固着したベース６をカバーの垂れ９で包み込んで一体の枕１とし使用する。
【実施例】
【００３８】
図１、図１２、図１３は、本発明の実施例１の斜図である。
上層に高発泡の軟質ウレタンフォーム、或は軟質シリコーンフォームから成る頭受け部２を備えた枕１を、側面から見て前側と後側の角は立ち上がり面と天面をＲ（曲線）で結びなだらかな曲形とし、その片方に枕１の全横幅もしくは、平均的な頭の幅＋アルファーをした分の、空洞孔４を備えて形成する、この空洞孔４が負荷を受けて変形する事で頚椎部分への反発を軽減する。
【００３９】
頭受け部２の空洞孔４には離型の為のスリット５を設け、後頭部２３を受け止める枕１の中央部から、枕１の後側である立ち上がり面３８の下部に反発弾性率が大きい一定の外力が加わっても収縮変形が少ない、低発泡プラスチック、木（コルク、桐材、バルサ材等）、ゴム、発泡ゴム、ゴム状樹脂、などからなる負荷受け部３を備えて形成する。
スリット５は金型を上下に割って離形する為で、金型を横方向に割る場合は不要である。
ゴム状樹脂とはオフィン系熱可塑性エストマー、塩化ビニル樹脂系熱可塑性エラストマー、スチレン系エラストマー、ポリエステル系エラストマー、重合脂肪酸系熱可塑性エラストマー等である。
【００４０】
負荷受け部３は枕１の、頭の後頭部２３を受ける枕１の前後の中央部から枕１の後側である立ち上がり面３８の頭受け部２の下層、或は下に備える、負荷受け部３の形状は後頭部２３を受ける枕の中央部から後側である立ち上がり面３８に向かって登り勾配とする、後頭部２３を受ける枕の中央部から後側である立ち上がり面３８に向かって曲線で登り勾配とする、後頭部２３を受ける枕の中央部から後側である立ち上がり面３８に向かって水平である板状とする、以上の郡の中からいずれか一つを選択し備える。
【００４１】
形成の方法は使用する複数の異材質(材料)の一つで一次側となる部分を成形し、同一金型内で他の異材質(材料)で二次側となる部分を一次側と一体で成形する「ダブルモールド成形方法」で形成するする。
【００４２】
まず前記の負荷受け部３を形成し、その負荷受け部３を枕１の金型の所定の位置に配置する、負荷受け部３が備えられる所定の位置となる枕１の金型の凹部に先に形成された負荷受け部３を挿入してから枕１を成形し形成する。これにより頭受け部２の所定の位置に負荷受け部３が一体になった枕１とする。
【００４３】
図３は、本発明の実施例２の斜図である。
実施例２は、図２と図８と図３のカバー４０で構成する。
図８のベース６は、ベース上７の平均的な頭の横幅＋アルファーの幅を、両側に適度の幅を残して中央部を切り欠く、両側に残ったベース上７とベース下８を面ファスナーで固定する。
ベース上７とベース下８を張り合わせる位置を調節する事で頭の大きさが極端に大きい或は極端に小さい人にも負荷受け部３の位置を調整できる様にする、この様に構成のベース６に、低発泡プラスチック、木（コルク、桐材、バルサ材、等）、ゴム、発泡ゴム、ゴム状樹脂、などからなる前記のいずれか一つの形状を選択した負荷受け部３をベース６に固着する。ベース６は、ベース上７、ベース下８を面ファスナーで固定した一体の形状にする事も可能である。
【００４４】
図２の空洞孔４とスリット５が設けられた頭受け部２で形成された図２の枕１の下にベース上７に負荷受け部３を固着したベース６を備え、垂れ９、垂れ１０、垂れ１１（両側にある）を持ったカバー４０を図２の枕１に被せ、垂れ９、垂れ１０、垂れ１１で負荷受け部３が固着されたベース６を垂れ９、垂れ１０、垂れ１１を内側に折り込み面ファスナーで留めて包みこむ事で枕１と負荷受け部３を一体として包み込み保持する事で頭受け部２と負荷受け部３が一体になった枕１とする。
【符号の説明】
【００４５】
１    枕
２    頭受け部
３    負荷受け部
４    空洞孔
５    スリット
６    ベース
７    ベース上
８    ベース下
９    垂れ
１０  垂れ
１１  垂れ
１２  面ファスナー
１３  気道
１４  舌骨
１５  舌顎骨  
１６  喉頭蓋
１７  下歯
１８  上歯
１９  第一頚椎
２０  第二頚椎
２１  後頭骨
２２  舌先
２３  後頭部
２４  鼻腔
２５  舌根
２６  甲状軟骨  
２７  輪状軟骨  
２８  頭頂骨（左右）
２９  首
３０  頭頂部後
３１  顎
３２  舌
３３  口蓋垂
３４  矢印Ａ
３５  矢印Ｂ
３６  線
３７  硬口蓋
３８    立ち上がり面
４０  カバー  
【図１】
2018201811.tif 000005
【図２】
2018201811.tif 000006
【図３】
2018201811.tif 000007
【図４】
2018201811.tif 000008
【図５】
2018201811.tif 000009
【図６】
2018201811.tif 000010
【図７】
2018201811.tif 000011
【図８】
2018201811.tif 000012
【図９】
2018201811.tif 000013
【図１０】
2018201811.tif 000014
【図１１】
2018201811.tif 000015
【図１２】
2018201811.tif 000016
【図１３】
2018201811.tif 000017
【手続補正書】
【提出日】平成29年6月7日(2017.6.7)
【手続補正１】
【補正対象書類名】特許請求の範囲
【補正対象項目名】請求項１
【補正方法】変更
【補正の内容】
【請求項１】
反発弾性率が小さい頭受け部２の、中央部から後側部分については、頭受け部２に相対的に反発弾性率が大きい負荷受け部３を下層或は下側に備え、頭受け部２に空洞孔４を有し、頭受け部２の中央部から後側部分は上下で反発弾性率の異なる複数の層に形成された事を特徴とする、閉塞型睡眠時無呼吸症候群防止枕。  
【手続補正２】
【補正対象書類名】特許請求の範囲
【補正対象項目名】請求項２
【補正方法】変更
【補正の内容】
【請求項２】
前記、頭受け部２を低反発ウレタンフォーム、或は低反発シリコーンフォームで形成し、頭受け部２の下層、或は下側の、枕の中央部から後側部分に低発泡プラスチック、木、発泡ゴム、ゴム、ゴム状樹脂、からなる群より選択された一つからなる、前記負荷受け部３を備える事を特徴とする、請求項１に記載の閉塞型睡眠時無呼吸症候群防止枕。
【手続補正３】
【補正対象書類名】特許請求の範囲
【補正対象項目名】請求項３
【補正方法】変更
【補正の内容】
【請求項３】
前記、負荷受け部３の形状は枕の中央部から後側部分方向に登り勾配とする、
負荷受け部３の形状は枕の中央部から後側部分方向に曲線で登り勾配とする、或は負荷受け部３の形状は枕の中央部から後側部分方向に水平である板状とする、以上からなる群の内から選択された一つの形状からなる負荷受け部３である事を特徴とする、請求項１に記載の閉塞型睡眠時無呼吸症候群防止枕。
【手続補正４】
【補正対象書類名】特許請求の範囲
【補正対象項目名】請求項４
【補正方法】変更
【補正の内容】
【請求項４】
低反発ウレタンフォーム、或は低反発シリコーンフォームで形成した前記、頭受け部２に相対的に硬質にした低発泡プラスチック、木、発泡ゴム、ゴム、或はゴム状樹脂、からなる群より選択された一つからなる負荷受け部３の形状は、枕の下に備えた時に、中央部から後側部分方向に登り勾配とする、中央部から後側部分方向に曲線で登り勾配とする、或は中央部から後側部分方向に水平である板状とする、以上からなる群から選択された一つの形状とし、ベース６に固着し、ベース６を前記、頭受け部２の下側に備え、カバー４０の垂れ９で包み込む事で一体の枕として使用する事を特徴とする、請求項１に記載の閉塞型睡眠時無呼吸症候群防止枕。
【手続補正５】
【補正対象書類名】明細書
【補正対象項目名】００１７
【補正方法】変更
【補正の内容】
【００１７】
本発明では、枕１の頭受け部２を反発弾性率が小さく局部的に圧迫が少なく体圧が分散され、感触が良く、柔軟性とクッション性と復元性がある高発泡の軟質ウレタンフォームである低反発ウレタンフォーム或は低反発シリコーンフォームで形成する事で、頭の負荷を枕の下にある寝具に分散吸収させているが枕の中央部から後側の立ち上がり面３８にかけては後頭部２３から頭頂部後３０の頭の重さによる、負荷を柔軟な頭受け部２を通して寝具に分散させない為に、後頭部２３から頭頂部後３０を受ける、枕１の頭受け部２の中央部から後側部分の下層或は下側に、反発弾性率が大きく一定の外力が加わっても圧縮変形が少ない、低発泡プラスチック、木（コルク、桐材、バルサ材等）、発泡ゴム、ゴム、ゴム状樹脂、などからなる負荷受け部３を備え、頭受け部２の中央部から後側部分は上下で反発弾性率の異なる複数の層に形成し負荷の分散を防止し、負荷受け部３を備えた部分の上部の頭受け部２の反発と復元力を高める事で、
【手続補正６】
【補正対象書類名】明細書
【補正対象項目名】００３６
【補正方法】変更
【補正の内容】
【００３６】
枕１の頭を受ける上層（上面）を反発弾性率が小さい高発泡の軟質ウレタンフォームである低反発ウレタンフォーム或は低反発シリコーンフォームで頭受け部２を形成し、枕１の頭受け部２の下層、或は下側に、頭受け部２に相対的に硬質にし、硬度を高くして反発力を大きくする為に反発弾性率が大きく一定の外力が加わっても圧縮変形が少ない、低発泡プラスチック、木（コルク、桐材、バルサ材など）、ゴム、発泡ゴム、ゴム状樹脂、などからなる負荷受け部３を頭受け部２の下側部の枕１の中央部から枕１の後側部分にかけて備え、頭受け部２の中央部から後側部分は上下で反発弾性率の異なる複数の層に形成した。
【手続補正７】
【補正対象書類名】明細書
【補正対象項目名】００３８
【補正方法】変更
【補正の内容】
【００３８】
図１、図１２、図１３は、本発明の実施例１の斜図である。
上層に反発弾性率が小さい高発泡の軟質ウレタンフォーム、或は軟質シリコーンフォームから成る頭受け部２を備えた枕１を、側面から見て前側と後側の角は立ち上がり面と天面をＲ（曲線）で結びなだらかな曲形とし、その片方に枕１の全横幅もしくは、平均的な頭の幅＋アルファーをした分の、空洞孔４を備えて形成した、この空洞孔４が負荷を受けて変形する事で頚椎部分への反発を軽減した、
【手続補正８】
【補正対象書類名】明細書
【補正対象項目名】００３９
【補正方法】変更
【補正の内容】
【００３９】
頭受け部２の空洞孔４には離型の為のスリット５を設け、後頭部２３を受け止める枕１の頭受け部２の中央部から、後側部分の下層、或は下側に反発弾性率が大きく一定の外力が加わっても圧縮変形が少ない、低発泡プラスチック、木（コルク、桐材、バルサ材等）、ゴム、発泡ゴム、ゴム状樹脂、などからなる負荷受け部３を備えて形成し、頭受け部２の中央部から後側部分は上下で反発弾性率の異なる複数の層に形成した。
スリット５は金型を上下に割って離形する為で、金型を横方向に割る場合は不要である。ゴム状樹脂とはオフィン系熱可塑性エストマー、塩化ビニル樹脂系熱可塑性エラストマー、スチレン系エラストマー、ポリエステル系エラストマー、重合脂肪酸系熱可塑性エラストマー等である。
【手続補正９】
【補正対象書類名】明細書
【補正対象項目名】００４０
【補正方法】変更
【補正の内容】
【００４０】
負荷受け部３は枕１の、頭の後頭部２３を受ける枕１の前後の中央部から枕１の後側である立ち上がり面３８の頭受け部２の下層、或は下に備える、負荷受け部３の形状は後頭部２３を受ける枕の中央部から後側部分方向に向かって登り勾配とする、後頭部２３を受ける枕の中央部から後側部分方向に向かって曲線で登り勾配とする、後頭部２３を受ける枕の中央部から後側部分方向に向かって水平である板状とする、以上の郡の中からいずれか一つを選択し備える。（図１、図１２、図１３参照）
【手続補正１０】
【補正対象書類名】明細書
【補正対象項目名】００４３
【補正方法】変更
【補正の内容】
【００４３】
図３は、本発明の実施例２の斜図である。
実施例２は、図２と図８と図３のカバー４０で構成する。
図８のベース６は、ベース上７の平均的な頭の横幅＋アルファーの幅を、両側に適度の幅を残して中央部を切り欠く、両側に残ったベース上７とベース下８を面ファスナーで固定する。
ベース上７とベース下８を張り合わせる位置を調節する事で頭の大きさが極端に大きい或は極端に小さい人にも負荷受け部３の位置を調整できる様にする、この様に構成のベース６に、低発泡プラスチック、木（コルク、桐材、バルサ材、等）、ゴム、発泡ゴム、ゴム状樹脂、などから選択された材質の負荷受け部３の形状は、枕の中央部から後側部分方向に向かって登り勾配とする、枕の中央部から後側部分方向に向かって曲線で登り勾配とする、枕の中央部から後側部分方向に向かって水平である板状とする、以上の郡の中から、いずれか一つの形状を選択した負荷受け部３をベース６に固着する、ベース上７とベース下８を一体にし、ベース６とする事も可能である。（図１、図１２、図１３参照）